(57)【要約】【課題】発射動作を楽しむことができるギミックの機構を組み込んだ銃器玩具の提供。【解決手段】駆動力を伝達する駆動歯車１０と、駆動歯車１０から駆動力を受けて回転する弾倉軸シャフト１４と、弾倉軸シャフト１４に固定されて回転する原動節によって銃身の軸方向へ往復動作するカムの従動節１７と、弾倉軸シャフト１４を囲繞して回転自在に設けられ、複数の係合受け形状１ｃを円周方向に配列した被係合部１ａを端面に有する回転弾倉１と、駆動歯車１０から駆動力を受けて回転し、自身の１回転中に所定角度だけ係合受け形状１ｃと係合して当該角度分だけ回転弾倉１を回転させる回転係合体１８と、を備え、銃身が従動節１７に接続される、銃器玩具。【選択図】図２
2018011811.tif 000002
【特許請求の範囲】
【請求項１】
駆動力を伝達する駆動歯車と、
該駆動歯車から駆動力を受けて回転する弾倉軸シャフトと、
該弾倉軸シャフトにより動作させられるカムと、
前記弾倉軸シャフトを囲繞して回転自在に設けられ、複数の係合受け形状を円周方向に配列した被係合部を端面に有する回転弾倉と、
前記駆動歯車から駆動力を受けて回転し、自身の１回転中に所定角度だけ前記係合受け形状と係合して当該角度分だけ前記回転弾倉を回転させる回転係合体と、を備え、
前記カムは、前記弾倉軸シャフトと共に回転する円筒形の原動節と、該原動節のカム面に従い銃身の軸方向に往復動する従動節と、を有し、
銃身が、前記従動節に従い動作する、銃器玩具。
【請求項２】
前記駆動歯車が従動歯車を駆動し、該従動歯車がシャフト駆動歯車を回転させ、該シャフト駆動歯車が、前記弾倉軸シャフトに固定されているシャフト従動歯車を回転させ、該シャフト従動歯車に従って前記弾倉軸シャフトが回転することで前記カムの原動節が動作し、
前記回転係合体は、前記シャフト駆動歯車の端面に設けられていて当該シャフト駆動歯車と一緒に回転し、この回転係合体が、１回転する間に前記所定角度だけ前記回転弾倉の係合受け形状と係合して前記回転弾倉を当該角度分だけ回転させる、
請求項１に記載の銃器玩具。
【請求項３】
前記回転係合体は、前記シャフト駆動歯車の端面に一体形成した突片である、請求項２に記載の銃器玩具。
【請求項４】
前記回転弾倉の被係合部は、所定曲率半径の円弧凹面を複数、円周方向に配列して有し、該円弧凹面の間に前記係合受け形状として係合溝が形成されており、
前記回転係合体は、前記円弧凹面の曲率半径に相応した半径をもち前記円弧凹面と当接可能な円板部を有し、該円板部の一部を切り欠いて形成された回転許容スペースに前記突片が形成されており、
前記回転係合体が回転する間、前記円板部と前記円弧凹面とが当接することで前記回転弾倉の回転を阻止するストッパとして機能し、前記回転許容スペースが前記円弧凹面に臨むことで当該当接が解かれ且つ前記突片が前記係合溝と係合することで前記回転弾倉を回転させ、そして所定角度回転が進むと前記突片が前記係合溝から離れ且つ前記円板部が次の前記円弧凹面と当接する、
請求項２又は請求項３に記載の銃器玩具。
【請求項５】
前記弾倉軸シャフトに固定され且つ手動で操作できるように露出する操作ホイールと、
前記従動歯車と前記シャフト駆動歯車との間に設けられたクラッチシャフトと、を備え、
該クラッチシャフトは、前記従動歯車の回転軸シャフトと前記シャフト駆動歯車の回転軸シャフトとを含み、これら回転軸シャフトの少なくとも一方が軸方向に摺動可能に設けられて他方の前記回転軸シャフトへ向け付勢されており、且つこれら回転軸シャフトが、互いに相応するラチェット形状をもつ端面で前記付勢力により係合しており、
前記従動歯車が前記駆動歯車により駆動される場合は、前記端面のラチェット形状が互いに噛み合う方向に前記回転軸シャフトが回転することで、前記従動歯車に従い前記シャフト駆動歯車が回転し、
前記操作ホイールが手動操作で回転させられる場合は、該手動操作により前記シャフト駆動歯車が回転させられることで、前記端面のラチェット形状が噛み合う方向とは逆方向に該シャフト駆動歯車の回転軸シャフトが回転し、摺動可能な前記回転軸シャフトが前記付勢力に逆らって摺動しつつ、前記シャフト駆動歯車のみが回転する、
請求項２〜４のいずれか１項に記載の銃器玩具。
【請求項６】
駆動力を伝達する駆動歯車と、
該駆動歯車から駆動力を受けて回転する弾倉軸シャフトと、
該弾倉軸シャフトに固定され且つ外部へ露出する露出部品であるホイールと、
前記弾倉軸シャフトを囲繞して回転自在に設けられ、複数の係合受け形状を円周方向に配列した被係合部を端面に有する回転弾倉と、
前記駆動歯車から駆動力を受けて回転し、自身の１回転中に所定角度だけ前記係合受け形状と係合して当該角度分だけ前記回転弾倉を回転させる回転係合体と、
を備えた銃器玩具。
【請求項７】
前記弾倉軸シャフトにより動作させられるカムをさらに備え、
前記カムは、前記弾倉軸シャフトと共に回転する円筒形の原動節と、該原動節のカム面に従い銃身の軸方向に往復動する従動節と、を有し、
銃身が、前記従動節に従い動作する、
請求項６に記載の銃器玩具。
【発明の詳細な説明】
【技術分野】
【０００１】
銃器玩具のギミック（仕掛け）に関する技術を以下に開示する。
【背景技術】
【０００２】
例えば特許文献１にあるように、ロボット等を模した人形玩具（いわゆるフィギュア）には、パーツとして模型銃器を組み付けることができるようにしたものがある。このような模型銃器は、手に持たせる、肩に組み付ける、背負わせるといった形で取り付けて、人形玩具のポーズを楽しむべく設定される。
【０００３】
一方、兵器を模した玩具には、特許文献２，３にあるように、砲塔の旋回に合わせて砲身を動作させるギミックの機構を組み込んだものがある。
【先行技術文献】
【特許文献】
【０００４】
【特許文献１】特開２００２−１２６３６４号公報
【特許文献２】特開２００７−３０６９８９号公報
【特許文献３】特開２００９−１８３４５６号公報
【発明の概要】
【発明が解決しようとする課題】
【０００５】
本発明は、人形玩具に組み付けてポーズを楽しむことを主な目的とした銃器玩具に関する発明であり、今までのように静的なポーズを楽しむだけではなく、発射動作を楽しむこともできるように、ギミックの機構を組み込んだ銃器玩具の提供を目的とする。
【課題を解決するための手段】
【０００６】
当課題に対して提案する銃器玩具は、全体的外観として回転弾倉を備えたリボルバーの形態を有し、その回転弾倉と銃身を可動にしてあり、回転弾倉の回転と銃身の反動動作との弾倉−銃身同調機構、この弾倉−銃身同調機構を手動と自動とで動作させることを可能にするクラッチ機構、そして、自動での動作時に、外に露出させた露出部品は連続回転させる一方、回転弾倉は所定角度ごと（６連発であれば６０°）にステップ回転させる回転同調機構、の１つ以上のギミック機構を特徴として含む。
【０００７】
弾倉−銃身同調動作のギミック機構としては、駆動力（例えばモータによる）を伝達する駆動歯車と、該駆動歯車から駆動力を受けて回転する弾倉軸シャフトと、該弾倉軸シャフトにより動作させられるカムと、前記弾倉軸シャフトを囲繞して回転自在に設けられ、複数の係合受け形状を円周方向に配列した被係合部を端面に有する回転弾倉と、前記駆動歯車から駆動力を受けて回転し、自身の１回転中に所定角度だけ前記係合受け形状と係合して当該角度分だけ前記回転弾倉を回転させる回転係合体と、が備えられる。前記カムは、前記弾倉軸シャフトと共に回転する円筒形の原動節と、該原動節のカム面に従い銃身の軸方向に往復動する従動節と、を有する。銃身は、この従動節に従い動作する。
【０００８】
より具体的には、前記駆動歯車が従動歯車を駆動し、該従動歯車がシャフト駆動歯車を回転させ、該シャフト駆動歯車が、前記弾倉軸シャフトに固定されているシャフト従動歯車を回転させる。このシャフト従動歯車に従って前記弾倉軸シャフトが回転することで前記カムの原動節が動作し、前記従動節に接続された銃身が動作する。一方、前記回転係合体は、前記シャフト駆動歯車の端面に設けられていて当該シャフト駆動歯車と一緒に回転し、この回転係合体が、１回転する間に前記所定角度だけ前記回転弾倉の係合受け形状と係合して前記回転弾倉を当該角度分だけ回転させる。前記回転係合体は、前記シャフト駆動歯車の端面に一体形成した突片とすることができる。
【０００９】
前記回転弾倉における被係合部は、所定曲率半径の円弧凹面を複数、円周方向に配列して有し、該円弧凹面の間に係合受け形状として係合溝が形成されている構造とすることができる。そして、前記回転係合体は、前記円弧凹面の曲率半径に相応した半径をもち前記円弧凹面と当接可能な円板部を有し、該円板部の一部を切り欠いて形成された回転許容スペースに前記突片が形成された構造とすることができる。すなわち、前記回転係合体が回転する間、前記円板部と前記円弧凹面とが当接していると、前記回転弾倉の回転を阻止するストッパとして機能し、前記回転許容スペースが前記円弧凹面に臨むとこの当接が解かれ、前記突片が前記係合溝と係合して前記回転弾倉を回転させる。所定角度回転が進むと、前記突片は前記係合溝から離れ、前記円板部が次の前記円弧凹面と当接する。以上により、弾倉に関し、所定角度ずつのステップ回転と回転ストッパが実現される。
【００１０】
上記の弾倉と銃身のギミック機構を手動と自動の両方で動作させるクラッチをなすギミック機構は、前記弾倉軸シャフトに固定され且つ手動で操作できるように露出する操作ホイールと、前記従動歯車と前記シャフト駆動歯車との間に設けられたクラッチシャフトと、を備え、該クラッチシャフトは、前記従動歯車の回転軸シャフトと前記シャフト駆動歯車の回転軸シャフトとを含み、これら回転軸シャフトの少なくとも一方が軸方向に摺動可能に設けられて他方の前記回転軸シャフトへ向け付勢されており、これら回転軸シャフトが、互いに相応するラチェット形状をもつ端面で前記付勢力により係合している構造とする。前記従動歯車が前記駆動歯車により駆動される場合（モータ等による自動動作）は、前記端面のラチェット形状が互いに噛み合う方向に前記回転軸シャフトが回転することで、前記従動歯車に従い前記シャフト駆動歯車が回転する。他方、前記操作ホイールが手動操作で回転させられる場合は、手動操作により前記シャフト駆動歯車の方が回転させられることになるが、このときは前記端面のラチェット形状が噛み合う方向とは逆方向に該シャフト駆動歯車の回転軸シャフトが回転するので、摺動可能な前記回転軸シャフトが前記付勢力に逆らって摺動しつつ、該シャフト駆動歯車のみが回転し、前記従動歯車に回転力は伝わらない。したがって、前記駆動歯車がモータの出力軸に取り付けてあったとしても、該駆動歯車及び前記従動歯車に回転力を伝えることなく、手動操作に従い動作することができる。
【００１１】
前記操作ホイールは、前記弾倉軸シャフトに固定されていて且つ外部へ露出する部品であるから、前記駆動歯車による自動での動作時、前記弾倉軸シャフトに従って連続回転している。一方、前記回転弾倉は、前記被係合部及び前記回転係合体の作用に従い所定角度ごと（６連発であれば６０°）にステップ回転するので、これらにより、ホイールが連続回転する一方で弾倉がステップ回転する回転同調のギミック機構が構成される。
【発明の効果】
【００１２】
上記提案に係る銃器玩具では、回転弾倉が１発分ずつステップ回転すると共に、銃身がそのステップ回転に合わせて反動動作するというギミックを楽しむことができる。すなわち、人形玩具と組み合わせた場合に、静的なポーズを楽しむだけではなく、発射動作を楽しむこともできる。
【図面の簡単な説明】
【００１３】
【図１】本発明に係る銃器玩具の実施形態を示した外観斜視図。
【図２】図１の銃器玩具の内部構造を示した図。
【図３】回転弾倉を除いて内部機構を示した図。
【図４】弾倉軸シャフト、カム（原動節）、回転弾倉、シャフト従動歯車、操作ホイールの分解図。
【図５】カム（原動節及び従動節）の拡大図。
【図６】従動歯車、クラッチシャフト、シャフト駆動歯車、回転係合体の分解図。
【図７】手動時の逆転防止ラッチを示した図。
【発明を実施するための形態】
【００１４】
図１に外観を示すように、本実施形態に係る銃器玩具は、６連発の回転弾倉を備えたリボルバー型の銃器を模している。回転弾倉１が電動で回転可能であると共に、この回転弾倉１の回転と同調して銃身２が、軸方向に往復動作（反動動作）する。具体的には、回転弾倉１は装弾数が６発の想定なので、６０°ずつステップ回転し、この６０°の１ステップごとに１回、銃身２が反動動作する。この弾倉−銃身の同調動作のためのギミック機構が、図２に示すように内部に組み込まれている。図３は、当該機構を抜き出して示した図である。
【００１５】
本実施形態の銃器玩具は、駆動源としてモータＭを内蔵し、このモータＭの出力軸に、モータＭによる駆動力を伝達する駆動歯車１０が固定されている。駆動歯車１０には従動歯車１１が噛み合って駆動され、従動歯車１１がシャフト駆動歯車１２を回転させる。従動歯車１１とシャフト駆動歯車１２とは、クラッチシャフト１３を介して連結されている。シャフト駆動歯車１２は、弾倉軸シャフト１４に固定されたシャフト従動歯車１５に噛み合っておりこれを回転させ、このシャフト従動歯車１５に従って弾倉軸シャフト１４が回転する。このように弾倉軸シャフト１４は、駆動歯車１０から従動歯車１１、シャフト駆動歯車１２及びシャフト従動歯車１５を介し駆動力を受けて回転する。弾倉軸シャフト１４にはカムの原動節１６が固定されており、弾倉軸シャフト１４と一緒に回転することでカムの動作をする。原動節１６は円筒形で、その底面の中心で弾倉軸シャフト１４に固定され、底面とは反対側の円状端面にカム面１６ａが設けられいる。カム面１６ａは、半周が底面から登り斜面として形成され、残り半周が前記登り斜面の終点（頂上）から続く平坦面であり、該平坦面の終わりが垂直面となって前記登り斜面の始点（底面）へつながっている。従動節１７は、銃身２の軸方向へ延伸する棒状部品として形成されていて、その外周に通したコイルバネ１７ａによる付勢でカム面１６ａへ端面が押し付けられている。したがって、回転する原動節１６のカム面１６ａに従い従動節１７が銃身２の軸方向に往復動し、この従動節１７の先端に銃身２の基端が接続されて従動節１７に従い動作する。銃身２は、カム面１６ａの登り斜面に従い前方へ飛び出していき、平坦面に従い少しの間突出位置を維持した後、垂直面に応じてコイルバネ１７ａの付勢で一気に（弾発的に）引っ込む反動動作を再現する。
【００１６】
弾倉軸シャフト１４を囲繞し、原動節１７を覆い隠すようにして、回転弾倉１が回転自在に設けられる。回転弾倉１は、弾倉軸シャフト１４には固定されない。この回転弾倉１の端面には、装弾数に応じた複数の係合受け形状を円周方向に配列した被係合部１ａが設けられる。被係合部１ａは、所定曲率半径の円弧凹面１ｂを装弾数に応じた数（本実施形態では６個）、円周方向に配列して有する。そして、円弧凹面１ｂの間に、係合受け形状として係合溝１ｃがそれぞれ形成されている。
【００１７】
この被係合部１ａと協働して回転弾倉１をステップ回転させる回転係合体１８が、本実施形態の場合、シャフト駆動歯車１２の端面において円周の縁部分に一体形成された突片として設けられている。したがって回転係合体１８は、駆動歯車１０から従動歯車１１を介し駆動力を受けて回転し、この自身の１回転中に、所定角度（本実施形態では装弾数が６発なので約６０°）だけ係合溝１ｃと係合し、当該角度分だけ回転弾倉１を回転させる。
【００１８】
本実施形態に係る回転係合体１８は、被係合部１ａの円弧凹面１ｂがもつ曲率半径に相応した半径をもち円弧凹面１ｂと当接可能な円板部１８ａを有し、この円板部１８ａの一部を切り欠いて形成された回転許容スペース１８ｂに突片として形成されている。回転係合体１８が回転する間、円板部１８ａと円弧凹面１ｂとが当接していれば、回転弾倉１の回転を阻止するストッパとして機能し、回転許容スペース１８ｂが円弧凹面１ｂに臨むと、円板部１８ａと円弧凹面１ｂとの当接が解かれ且つ突片である回転係合体１８が係合溝１ｃと係合して、回転弾倉１を１ステップ（６０°）回転させる。所定角度（６０°）回転が進むと、回転係合体１８が係合溝１ｃから離れ且つ円板部１８ａが次の円弧凹面１ｂと当接する。
【００１９】
本実施形態の銃器玩具は、モータＭによる自動動作だけではなく、手動により動作させることも可能にしてある。この手動と自動を可能にするクラッチのギミック機構が、従動歯車１１とシャフト駆動歯車１２との間に設けられたクラッチシャフト１３により構成されている。クラッチシャフト１３は、従動歯車１１の回転軸シャフト１１ａとシャフト駆動歯車１２の回転軸シャフト１２ａとを含み、本実施形態の場合、回転軸シャフト１２ａが軸方向に摺動可能に設けられて回転軸シャフト１１ａへ向けコイルバネ１２ｂによって付勢され、両シャフト１１ａ，１２ａの端面どうしが互いに押し付けられている。これら回転軸シャフト１１ａ，１２ａの端面は、互いに相応するラチェット形状をもっており、コイルバネ１２ｂの付勢力により係合している。
【００２０】
従動歯車１１が駆動歯車１０により駆動される場合（モータＭによる自動動作）は、端面のラチェット形状が互いに噛み合う方向に回転軸シャフト１１ａ，１２ａが回転するので、従動歯車１１に従いシャフト駆動歯車１２が回転する。
【００２１】
弾倉軸シャフト１４には、シャフト従動歯車１５に隣接させて操作ホイール１９が固定されている。この操作ホイール１９は、手動で操作できるように外部へ露出する（図１参照）。操作ホイール１９が手動操作で回転させられる場合、該手動操作によりシャフト駆動歯車１２が回転させられることになり（つまり逆回転）、端面のラチェット形状が噛み合う方向とは逆方向に回転軸シャフト１２ａが回転する。すると、コイルバネ１２ｂの付勢力に逆らって回転軸シャフト１２ａが摺動しつつ（ラチェット形状を乗り越え）、シャフト駆動歯車１２のみが回転し、従動歯車１１に回転力は伝わらない。したがって、モータＭの出力軸に取り付けられた駆動歯車１０及び従動歯車１１に回転力を伝えることなく、操作ホイール１９の手動操作に従い回転弾倉１をステップ回転させ且つ銃身２を反動動作させることができる。
【００２２】
操作ホイール１９は、弾倉軸シャフト１４に固定されて一緒に回転し且つ外部へ露出する部品であるから、駆動歯車１０による自動での動作時、弾倉軸シャフト１４に従って連続回転している。一方、回転弾倉１は、被係合部１ａ及び回転係合体１８の作用に従い６０°ごとにステップ回転するので、ホイールの連続回転と弾倉の６０°ステップ回転という見た目に楽しい回転同調のギミック機構が構成される。
【００２３】
図４〜図６には、各部品の分解図を示してある。
図４において、弾倉軸シャフト１４は断面正六角形で、両端を軸受２０，２０により軸支される。カムの原動節１６は、円筒底面の回転軸部に、弾倉軸シャフト１４に相応する正六角形の嵌合孔１６ｂを有し、この嵌合孔１６ｂと弾倉軸シャフト１４との嵌め合いにより互いに対し回動不能に固定される。回転弾倉１は、原動節１６を覆い隠す円筒形に形成され、端面の被係合部１ａにおける回転軸部に、弾倉軸シャフト１４を遊挿する丸孔１ｄを有する。したがって回転弾倉１は、弾倉軸シャフト１４に固定されず、両者は互いに対し回動可能である。シャフト従動歯車１５は、その回転軸部に、弾倉軸シャフト１４に相応する正六角形の嵌合孔１５ａを有し、この嵌合孔１５ａと弾倉軸シャフト１４との嵌め合いにより互いに対し回動不能に固定される。操作ホイール１９は、その回転軸部に、弾倉軸シャフト１４を遊挿する丸孔１９ａを有するが、シャフト従動歯車１５の端面に形成した凸部と嵌合又は接着する等によりシャフト従動歯車１５に固定されるので、操作ホイール１９は弾倉軸シャフト１４に対し固定である。
【００２４】
図５において、カムの原動節１６は、上述のとおりのカム面１６ａを有する。従動節１７は、カム動作が円滑であるように、カム面１６ａに当接する端面１７ｂが丸めてある。
【００２５】
図６において、シャフト駆動歯車１２は、その回転軸部に正六角形の嵌合孔１２ｃを有し、相応する断面正六角形の支持シャフト２１がここに嵌挿され、互いに対し回動不能に固定される。支持シャフト２１は、両端を軸受２０，２０によって軸支される。具体的には、軸受２０の中心に設けられた丸穴２０ａに回転可能に端部が挿入されて支持される。シャフト駆動歯車１２は、一方の端面に、回転係合体１８、円板部１８ａ、回転許容スペース１８ｂが一体形成されている。他方の端面には、コイルバネ１２ｂを受容する凹部１２ｄが形成され、回転軸シャフト１２ａが軸方向摺動可能に且つ互いに回動不能に（例えば複数のキー突起とこれを受け入れるキー溝で）組み付けられる。回転軸シャフト１２ａは、回転中心部に断面円形の軸孔１２ｅが軸方向へ貫通形成されていて、これを通して支持シャフト２１が回転可能に挿通される。従動歯車１１は、回転軸部に回転軸シャフト１１ａが一体形成されていて、その回転中心部に断面円形の軸孔１１ｂが貫通形成され、これを通して支持シャフト２１が回転可能に挿通される。回転軸シャフト１１ａ，１２ａの各端面には相応のラチェット形状が形成されていて、両者は一回転方向にのみ噛み合う。該ラチェット形状が噛み合わない逆回転方向では、回転軸シャフト１１ａに対する回転軸シャフト１２ａの回転が許容される。
【００２６】
図７には、手動操作用に組み込まれるラッチ部品２２を示す。シャフト従動歯車１５に隣接する操作ホイール１９の端面には、円板突部１９ｂが形成され、この円板突部１９ｂの円周面に多数の凹所１９ｃが配列されている。この円板突部１９ｂの円周面に当接するようにラッチ部品２２が脱着可能とされており、ラッチ部品２２を組み込んだ場合には、各凹所１９ｃと弾性的に係合して逆回転ストッパとして働く。コイルバネ１７ａにより付勢されているカムの従動節１７は、カム面１６ａの登り斜面と当接しているとき常に弾倉軸シャフト１４を逆回転させる力を加える。手動操作時、操作ホイール１９から指を離した際にこの逆回転力によって操作ホイール１９が逆回転させられることがあるが、ラッチ部品２２と凹所１９ｃとの係合によってこの逆回転を阻止することができる。なお、モータＭにより自動で動作する場合にはこのような逆回転を心配する必要はないので、ラッチ部品２２は取り外される。
【００２７】
以上、一つの実施形態を示して本発明に係る銃器玩具を説明したが、各部品の形状や組み合わせが説明した具体例のみに限定されないのは自明のことである。
【符号の説明】
【００２８】
１  回転弾倉
１ａ  被係合部
１ｂ  円弧凹面
１ｃ  係合溝（係合受け形状）
２  銃身
１０  駆動歯車
１１  従動歯車
１１ａ  回転軸シャフト
１２  シャフト駆動歯車
１２ａ  回転軸シャフト
１３  クラッチシャフト
１４  弾倉軸シャフト
１５  シャフト従動歯車
１６  カムの原動節
１６ａ  カム面
１７  カムの従動節
１７ａ  コイルバネ
１８  回転係合体
１８ａ  円板部
１８ｂ  回転許容スペース
１９  操作ホイール
【図１】
2018011811.tif 000003
【図２】
2018011811.tif 000004
【図３】
2018011811.tif 000005
【図４】
2018011811.tif 000006
【図５】
2018011811.tif 000007
【図６】
2018011811.tif 000008
【図７】
2018011811.tif 000009